(57)【要約】【課題】扉を閉じた状態で運ぶ際に振動や衝撃を受けても扉が容易に開かず、また、そのための構造が簡単であるようにした、養蜂箱における巣門構造及びそれを備えた養蜂箱、養蜂箱用の巣門開閉具部品を提供する。【解決手段】巣門構造５は、側板７０１の下縁部を切り欠いて巣箱本体７０の内外を貫通するよう形成した切欠部と、切欠部と対応する底板７００の縁部に設けてある基部材５０と、切欠部が形成された側板７０１の前面に固定して取り付けてある巣門形成部材５１と、巣門形成部材５１によって形成される巣門５５を開いたり閉じたりする開閉扉５２と、巣門５５を一旦閉じると変形させる操作をしなければ開くことができず、逆に、巣門５５を一旦開けると変形させる操作をしなければ閉じることができないように開閉扉５２の動きを制御する扉制御部材５３を備えて構成されている。【選択図】        図１
2004201592.tif 000002
【特許請求の範囲】
【請求項１】
少なくとも巣箱本体の一側面に開口して形成してある巣門と、
動かしてまたは変形して巣門を開閉する開閉扉と、
巣門を一旦閉じると開けるための操作をしなければ開くことができず、逆に、巣門を一旦開けると閉じるための操作をしなければ閉じることができないように開閉扉の動きを制御する扉制御部材と、
を備えたことを特徴とする、
養蜂箱における巣門構造。
【請求項２】
少なくとも巣箱本体の一側面に開口して形成してある巣門と、
回動して巣門が開閉可能であり、巣門を閉じた状態では養蜂箱の所要位置に当接してまたは実質的に当接して停止するように設けてある開閉扉と、
巣門を閉じた状態の開閉扉の一側縁に相当する部分に位置し、常態では外方へ突出して開閉扉の通過を阻止し、内方へ変形させることで開閉扉の通過を可能にする扉制御部材と、
を備えており、
開閉扉は、巣門を閉じた状態で養蜂箱の所要位置と扉制御部材とで挟まれて回動できないよう構成されていることを特徴とする、
養蜂箱における巣門構造。
【請求項３】
請求項１または２記載の巣門構造を備えたことを特徴とする、
養蜂箱。
【請求項４】
回動して巣門が開閉可能であり、巣門を閉じた状態では養蜂箱の所要位置に当接してまたは実質的に当接して停止するように設けられる開閉扉と、
巣門を閉じた状態の開閉扉の一側縁に相当する部分に位置し、常態では外方へ突出して開閉扉の通過を阻止し、内方へ変形させることで開閉扉が通過可能にできる扉制御部材と、
を備えており、
開閉扉は、巣門を閉じた状態で養蜂箱の所要位置と扉制御部材とで挟まれて回動できないよう構成されることを特徴とする、
養蜂箱用の巣門開閉具部品。
【発明の詳細な説明】
【０００１】
【発明の属する技術分野】
本発明は、養蜂箱における巣門構造及びそれを備えた養蜂箱、養蜂箱用の巣門開閉具部品に関する。
更に詳しくは、例えば、扉を閉じた状態で運ぶ際に振動や衝撃を受けたりしても、扉が容易に開かないようにしたものに関する。また、そのための構造が簡単であるものに関する。
【０００２】
【従来の技術】
近年、苺、梨、りんご、メロン等の栽培はビニルハウスで行われることが多く、その交配には一般的に蜜蜂が用いられている。農家において蜜蜂は、交配の時期しか必要ないため、通常、養蜂場等から借りて賄うようにしている。この場合、蜜蜂は養蜂箱に入れられてビニルハウス内に持ち込まれる。
【０００３】
従来の養蜂箱としては、例えば、特許文献１に開示されたものが知られている。この養蜂箱は、上方が開口した直方体状の巣箱本体と、巣箱本体の開口部を閉じるための蓋体を備えて構成されている。巣箱本体の一側面の下部側には、蜜蜂が出入りするための巣門が形成されており、その前面には上下に移動可能で巣門を開閉するための扉が設けられている。また、扉の上部及び対応する蓋体の側面には、扉を上方に移動させた状態で固定するための掛止手段が設けられている。従って、養蜂箱は、扉を上方に移動させて巣門を開口させ、掛止手段で固定して扉が重力によって下がらないようにできる。
【０００４】
【特許文献１】
登録実用新案第３０１０５１６号公報
【０００５】
【発明が解決しようとする課題】
しかし、上記特許文献１に開示された養蜂箱には、次のような課題があった。
即ち、巣門を開閉するための扉は、上方に移動させたときには固定できるが、下方に位置し巣門を閉じた状態のときでは固定できなかった。そのため、例えば、養蜂箱を運搬する際に振動や衝撃で扉が動いて巣門が開いたり、また、蜜蜂自身がこじ開けたりして、蜜蜂が養蜂箱から逃げ出してしまうことがあった。
【０００６】
（本発明の目的）
本発明の目的は、例えば、扉を閉じた状態で運ぶ際に振動や衝撃を受けたりしても、扉が容易に開かないようにする、養蜂箱における巣門構造及びそれを備えた養蜂箱、養蜂箱用の巣門開閉具部品を提供することにある。
また、本発明の他の目的は、そのための構造が簡単である、養蜂箱における巣門構造及びそれを備えた養蜂箱、養蜂箱用の巣門開閉具部品を提供することにある。
【０００７】
【課題を解決するための手段】
上記目的を達成するために講じた本発明の手段は次のとおりである。
第１の発明にあっては、
少なくとも巣箱本体の一側面に開口して形成してある巣門と、
動かしてまたは変形して巣門を開閉する開閉扉と、
巣門を一旦閉じると開けるための操作をしなければ開くことができず、逆に、巣門を一旦開けると閉じるための操作をしなければ閉じることができないように開閉扉の動きを制御する扉制御部材と、
を備えたことを特徴とする、
養蜂箱における巣門構造である。
【０００８】
第２の発明にあっては、
少なくとも巣箱本体の一側面に開口して形成してある巣門と、
回動して巣門が開閉可能であり、巣門を閉じた状態では養蜂箱の所要位置に当接してまたは実質的に当接して停止するように設けてある開閉扉と、
巣門を閉じた状態の開閉扉の一側縁に相当する部分に位置し、常態では外方へ突出して開閉扉の通過を阻止し、内方へ変形させることで開閉扉の通過を可能にする扉制御部材と、
を備えており、
開閉扉は、巣門を閉じた状態で養蜂箱の所要位置と扉制御部材とで挟まれて回動できないよう構成されていることを特徴とする、
養蜂箱における巣門構造である。
【０００９】
第３の発明にあっては、
第１または第２の発明に係る巣門構造を備えたことを特徴とする、
養蜂箱である。
【００１０】
第４の発明にあっては、
回動して巣門が開閉可能であり、巣門を閉じた状態では養蜂箱の所要位置に当接してまたは実質的に当接して停止するように設けられる開閉扉と、
巣門を閉じた状態の開閉扉の一側縁に相当する部分に位置し、常態では外方へ突出して開閉扉の通過を阻止し、内方へ変形させることで開閉扉が通過可能にできる扉制御部材と、
を備えており、
開閉扉は、巣門を閉じた状態で養蜂箱の所要位置と扉制御部材とで挟まれて回動できないよう構成されることを特徴とする、
養蜂箱用の巣門開閉具部品である。
【００１１】
（作  用）
本発明では巣門を開閉する開閉扉が、扉制御部材によって巣門を一旦閉じると開けるための操作をしなければ開くことができず、逆に、巣門を一旦開けると閉じるための操作をしなければ閉じることができないように制御されている。
また、本発明では、回動して巣門が開閉可能な開閉扉が、巣門を閉じた状態の開閉扉の一側縁に相当する部分に位置した扉制御部材によって、常態では外方へ突出して開閉扉の通過を阻止し、内方へ変形させることで開閉扉の通過を可能にするよう制御されており、巣門を閉じた状態で養蜂箱の所要位置と扉制御部材とで挟まれて回動できないよう構成されている。
従って、巣門は、開閉扉によって閉めてあれば、運搬の際に振動や衝撃で扉が動いて開いたり、蜜蜂自身がこじ開けたりできない。
【００１２】
【発明の実施の形態】
本発明の実施の形態を図面に基づき更に詳細に説明する。
図１は本発明に係る養蜂箱の一実施の形態を示す斜視説明図、
図２は養蜂箱の巣門構造を構成する開閉扉を閉じた状態を示す要部拡大説明図、
図３は開閉扉を開けた状態を示す要部拡大説明図である。
養蜂箱７は、複数枚の木枠を収容する空間部（図では表れていない）を内部に有し、上部に開口部（図では表れていない）が形成してある巣箱本体７０と、巣箱本体７０の上部に被せて開口部を閉じるように取り付け可能な蓋体７１を備えて構成されている。
【００１３】
巣箱本体７０は、長方形状の底板７００を備え、この底板７００の各辺の縁部側に側板を立設して立方体形状を有するように形成されている。詳しくは、底板７００を形成する幅狭の辺の縁部よりやや内側の部分に側板７０１（図では片方しか見えない）を対向して立設し、幅広の辺の縁部に側板７０２（図では片方しか見えない）を対向して立設して形成されている。また、底板７００の裏側において幅狭の辺の縁部には、角材で形成された脚部材７２，７２が取り付けられている。
【００１４】
一方の側板７０１の下側には、蜜蜂が巣箱本体７０へ出入りするための巣門構造５が設けられている。
巣門構造５は、側板７０１の下縁部を切り欠いて巣箱本体７０の内外を貫通するよう形成した切欠部（図では表れていない）と、切欠部と対応する底板７００の縁部に設けてある基部材５０と、切欠部が形成された側板７０１の前面に固定して取り付けてある巣門形成部材５１と、巣門形成部材５１によって形成される巣門５５を開いたり閉じたりする開閉扉５２と、巣門５５を一旦閉じると変形させる操作をしなければ開くことができず、逆に、巣門５５を一旦開けると変形させる操作をしなければ閉じることができないように開閉扉５２の動きを制御する扉制御部材５３を備えて構成されている。
【００１５】
巣門構造５を構成する各部材について詳細に説明する。
基部材５０は、所要の長さを有する山形鋼で形成されている。詳しくは、山形鋼は、一方の面（図では上側の面）の端部が、底板７００の縁部に取り付けたときに側板７０１の表面と接し、他方の面（図では下側の面）の端部が底板７００の裏面と略面一になるように形成されている。
【００１６】
巣門形成部材５１は、側板７０１の切欠部より大きな略長方形状の板状体で形成してあり、長さ方向に沿う一方（図では下側）の縁部には、巣箱本体７０の内外を貫通する巣門５５の外形状を形づくるための切欠部５１０が形成されている。巣門形成部材５１は、側板７０１の前面に下端部を基部材５０の上面に当てて固定してある。これにより側板７０１の切欠部を覆い、切欠部５１０によって巣門５５が形づくられる。
【００１７】
開閉扉５２は、巣門形成部材５１と略同じ幅を有し、巣門５５より長い長方形状の板状体で形成してある。この開閉扉５２の長さ方向の一端側（図では右側）には、開閉扉５２を操作するための摘み部材５２１が突出して取り付けてある。また、他方側の一方（図では左下側）の角部５２２は、角を落として丸く（略円弧状に）形成してある。開閉扉５２は、巣門形成部材５１の前面に巣門５５を覆うように下端部を基部材５０の上面に当てて、長さ方向の他方側（図では左側）に回動軸ピン５２０を設けて、上方に回動して巣門５５を開けることができるように取り付けてある。
【００１８】
扉制御部材５３は、巣門形成部材５１より厚みの薄い金属板の一方側（図では左側）を反らせて（湾曲させて）、少なくともこの反らせた部分が変形性及び形状復元性（バネのような性質）を有するよう形成してある。扉制御部材５３は、巣門５５を閉じたときの開閉扉５２の上方に、反った部分が常態で開閉扉５２の厚み部分と当たる（または実質的に当たる）ようにして、長さ方向の他方側（図では右側）を側板７０１に固定して取り付けてある。
【００１９】
本実施の形態で示す基部材５０、巣門形成部材５１、扉制御部材５３は、木ねじを使用して底板７００や側板７０１に固定されている。しかし、これは限定するものではなく、例えば、釘、鋲（リベット）、接着剤等を使用して固定することもできる。
また、本実施の形態で開閉扉５２を回動可能に取り付けた回動軸ピン５２０は、木ねじを使用したが、これも限定するものではなく、例えば、釘、鋲（リベット）等のピン状物を使用することもできる。
【００２０】
本実施の形態において基部材５０、巣門形成部材５１、開閉扉５２、扉制御部材５３は、いずれもアルミニウムで形成したものを使用したが、これも限定するものではない。例えば、基部材５０、巣門形成部材５１、開閉扉５２は、他の金属（鉄、ステンレス、銅、真鍮、ばね鋼等）、木材、陶磁器、合成樹脂、これらの複合物等で形成したものを使用することもできる。また、扉制御部材５３は反った部分にバネのような性質を備えるようにできれば、上記した材料やそれらの複合物等で形成することもできる。
【００２１】
蓋体７１の側板７１０（図では片方しか見えない）には、所要間隔を設けて内外を貫通した通気部７１１，７１１が形成されている。通気部７１１，７１１には、蓋体の裏面側から網が張設してあり、ここから蜜蜂が逃げ出さないようにしてある。
【００２２】
養蜂箱７は、蓋体７１を被せた巣箱本体７０の空間部内に、数千、数万という数の蜜蜂を収容し、巣門構造５が備える巣門５５を適宜開閉して、ここから蜜蜂が巣箱本体７０内に出たり入ったりできるようにするものである。養蜂箱は、蜂蜜を採取するための採蜜箱として使用したり、ビニルハウスに持ち込んで果実や野菜等の交配が蜜蜂によって行われるようにしたりすることを目的として使用される。
【００２３】
（作  用）
図１ないし図３を参照して、本実施の形態で示す養蜂箱７の巣門構造５が備える作用について説明する。
［開閉扉５２を閉めた状態の場合］
図２に示す状態の開閉扉５２は、上端部が扉制御部材５３の反った部分と当たって（実質的に当たって）おり、下端部が基部材５０の上面と当たっている。このように閉めた状態の開閉扉５２は、扉制御部材５３と基部材５０とで挟まれて回動できないようにロックされている。従って、開閉扉５２を閉めた場合では、例えば、養蜂箱を運搬する際に振動や衝撃で巣門が開いたり、蜜蜂自身がこじ開けたりすることがない。
【００２４】
［閉めた状態の開閉扉５２を開ける場合］
開閉扉５２は、扉制御部材５３の反った部分を押して変形させ、この部分を巣門形成部材５１の厚みで隠し、このままの状態で摘み部材５２１を持って上方へ回動させることにより、扉制御部材５３の前を通過して図３に示すように巣門５５を開けることができる。なお、開閉扉５２は、回動中心の基部材５０側に位置する角部５２２が丸く形成してあるので、スムーズな回動が可能である。
【００２５】
［開閉扉５２を開けた状態の場合］
巣門５５を開けた後の扉制御部材５３は、反った部分が形状復元性を有するので、開閉扉５２の通過後は元の状態に復帰する（図３参照）。
【００２６】
これにより開閉扉５２は、巣門５５を開けた状態から、巣門５５を閉じようとする方向に回動しても、扉制御部材５３の反った部分と側板７０１との間に形成された隙間に挟まり、巣門５５は閉じない。
【００２７】
［開けた状態の開閉扉５２を閉じる場合］
図３に示す状態の開閉扉５２は、扉制御部材５３の反った部分を押して変形させ、この部分が開閉扉５２に当たらないように巣門形成部材５１の厚みに隠して、このままの状態で下方へ回動させることにより、扉制御部材５３の前を通過して図２に示すように巣門５５を閉じることができる。
巣門５５を閉じた開閉扉５２は、上端部が扉制御部材５３の反った部分と当たって（実質的に当たって）おり、下端部が基部材５０の上面と当たるので、回動できないようにロックされた状態となる。
【００２８】
このように巣門構造５は、巣門５５が開閉できる開閉扉５２を回動可能に設けて、変形可能な反った部分を有する扉制御部材５３を、開閉扉５２の上方に設けるだけで、開閉扉５２の開閉が上記したように（巣門５５を一旦閉じると変形させる操作をしなければ開くことができず、逆に、巣門５５を一旦開けると変形させる操作をしなければ閉じることができないように）制御できるので、開閉扉５２の開閉を制御するための構造が簡単である。
【００２９】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００３０】
【発明の効果】
本発明は上記構成を備え、次の効果を有する。
（ａ）本発明では巣門を開閉する開閉扉が、扉制御部材によって巣門を一旦閉じると開けるための操作をしなければ開くことができず、逆に、巣門を一旦開けると閉じるための操作をしなければ閉じることができないように制御されている。
また、本発明では、回動して巣門が開閉可能な開閉扉が、巣門を閉じた状態の開閉扉の一側縁に相当する部分に位置した扉制御部材によって、常態では外方へ突出して開閉扉の通過を阻止し、内方へ変形させることで開閉扉の通過を可能にするよう制御されており、巣門を閉じた状態で養蜂箱の所要位置と扉制御部材とで挟まれて回動できないよう構成されている。
従って、巣門は、開閉扉によって閉めてあれば、運搬の際に振動や衝撃で扉が動いて開いたり、蜜蜂自身がこじ開けたりできない。
【００３１】
（ｂ）本発明に係る巣門構造は、上記したように開閉扉と扉制御部材を設ければ良いので、構造が簡単である。
【図面の簡単な説明】
【図１】本発明に係る養蜂箱の一実施の形態を示す斜視説明図、
【図２】養蜂箱の巣門構造を構成する開閉扉を閉じた状態を示す要部拡大説明図。
【図３】開閉扉を開けた状態を示す要部拡大説明図。
【符号の説明】
５  巣門構造
５０  基部材
５１  巣門形成部材
５１０  切欠部
５２  開閉扉
５２０  回動軸ピン
５２１  摘み部材
５２２  角部
５３  扉制御部材
５５  巣門
７  養蜂箱
７０  巣箱本体
７００  底板
７０１  側板
７０２  側板
７１  蓋体
７１０  側板
７１１  通気部
７２  脚部材
【図１】
2004201592.tif 000003
【図２】
2004201592.tif 000004
【図３】
2004201592.tif 000005